(57)【要約】      （修正有）【課題】疲れ目及び目の周辺の肌の改善に有用な手段を提供する。【解決手段】被験者を一定の位置に固定した状態に保ち、被験者の前方に設定した標的を凝視した状態を維持し、標的を被験者の前方で前後させ標的に記載された印がぼやけ始める位置（焦点距離）を指標とし、焦点距離が遠いほど目の疲れ度合いが高いと判別して、目の疲れ度合いを鑑別する。前記指標を用いて、毛様体筋などの目の調節に関わる筋肉の緊張状態について、焦点距離が遠いほど筋肉の緊張度が高いと判別する。前記指標を用いて、目の周辺の血流の状態について焦点距離が遠いほど血流の状態が悪いと判別し、目の周辺の血流状態を鑑別する。【選択図】図５
2008178427.tif 000002
【特許請求の範囲】
【請求項１】
被験者を一定の位置に固定した状態に保ち、被験者の前方に設定した標的を凝視した状態を維持し、標的を被験者の前方で前後させ標的に記載された印がぼやけ始める位置（焦点距離）を指標とし、焦点距離が遠いほど目の疲れ度合いが高いと判別することを特徴とする、目の疲れ度合いの鑑別法。
【請求項２】
前記指標を用いて、毛様体筋などの目の調節に関わる筋肉の緊張状態について、焦点距離が遠いほど筋肉の緊張度が高いと判別することを特徴とする、目の調節に関わる筋肉の緊張状態の鑑別法。
【請求項３】
前記指標を用いて、目の周辺の血流の状態について焦点距離が遠いほど血流の状態が悪いと判別することを特徴とする、目の周辺の血流状態の鑑別法。
【請求項４】
目の周囲の肌の状態を改善する為の、エステティックの施術の選択法に於いて、請求項１に記載の鑑別法で目の疲れ度合いが高いと鑑別された人に対して、目の周囲のツボを刺激する施術を選択することを特徴とする、目の周囲の肌の状態の改善のためのエステティック施術の選択法。
【請求項５】
前記指標を用いて、エステティック施術の目の周辺の肌への効果の評価方法であって、焦点距離が遠い状態から近くなることにより目の周辺の肌が改善したと判別することを特徴とする、エステティック施術効果の鑑別法。
【請求項６】
前記指標を用いて、焦点距離が遠いほど自律神経機能が悪いと判別することを特徴とする、自律神経機能の鑑別法。
【請求項７】
前記指標を用いて、頸部の筋肉の緊張状態について焦点距離が遠いほど筋肉の緊張度が高いと判別することを特徴とする、頸部の筋肉の緊張状態の鑑別法。
【請求項８】
請求項１に記載の目の疲れ度合いの鑑別法で鑑別される目の疲れ度合いによって分類されることを特徴とする、目の疲れ度合いの分類法。
【請求項９】
請求項２に記載の目の焦点に関わる筋肉の緊張状態の鑑別法で鑑別される目の焦点に関わる筋肉の緊張状態によって分類されることを特徴とする、目の焦点に関わる筋肉の緊張状態の分類法。
【請求項１０】
請求項３に記載の目の周辺の血流の状態の鑑別法で鑑別される目の周辺の血流の状態によって分類されることを特徴とする、目の周辺の血流の状態の分類法。
【請求項１１】
請求項４に記載の目の周辺の肌の状態の鑑別法で鑑別される目の周辺の肌の状態によって分類されることを特徴とする、目の周辺の肌の状態の分類法。
【請求項１２】
請求項５に記載のエステティック施術の目の周辺の肌への効果の鑑別法で鑑別されるエステティック施術の目の周辺の肌への効果によって分類されることを特徴とする、エステティック施術の効果の分類法。
【請求項１３】
請求項６に記載の自律神経機能の鑑別法で鑑別される自律神経機能によって分類されることを特徴とする、自律神経機能の分類法。
【請求項１４】
請求項７に記載の頸部の筋肉の緊張状態の鑑別法で鑑別される頸部の筋肉の緊張状態によって分類されることを特徴とする、頸部の筋肉の緊張状態の分類法。
【請求項１５】
請求項８に記載の目の疲れ度合いの分類法において、目の疲れの度合いが高い被験者に対して毛様体筋などの目の調節に関わる筋肉の緊張を緩和する処置を勧めることを特徴とする、疲れ目の改善のためのアドバイス方法。
【請求項１６】
請求項８に記載の目の疲れ度合いの分類法において、目の疲れの度合いが高く、且つ、通常の睡眠による目の疲れの改善を精神的及び身体的ストレスにより阻害され、その素因としてストレス比重が高かった被験者に、過剰に亢進した交感神経機能を整え、自律神経機能を改善する処置を勧めることを特徴とする、疲れ目の改善のためのアドバイス方法。
【請求項１７】
前記被験者が、エステティック施術店に、エステティックにより、目の疲れを改善のために訪れた顧客であることを特徴とする請求項１に記載の鑑別法に基づくアドバイス方法。
【請求項１８】
前記被験者が、エステティック施術店に、エステティックにより、目の周辺の肌改善のために訪れた顧客であることを特徴とする請求項４に記載の鑑別法に基づくアドバイス方法。
【発明の詳細な説明】
【技術分野】
【０００１】
本発明は、疲れ目やそれに伴う目の周辺の肌の改善に有用な疲れ目及び目の周辺の肌の状態の鑑別法、分類法並びに疲れ目及び目の周辺の肌の改善のためのアドバイス方法に関する。但し、医療目的を除く。
【背景技術】
【０００２】
現代社会は車の運転やVDT（Visual Display Terminal）作業、パソコンやテレビなど目を使い続ける時代である。加えて、睡眠時間が極端に短くなり、起きている時間が長くなるなどライフスタイル自体も目に対して負担を強いるものになっている。環境の面では、大気汚染に由来するオゾンホールの拡大が、紫外線の地上到達量を激増させ、紫外線による目の損傷も増えていると言える。斯くの如くに、現代社会は、目にとって負担の極めて多い環境と言え、それに伴い、疲れ目や眼精疲労などの目のトラブルに悩む人が急増している。この為、疲れ目等の目のトラブル症状改善に有効な医薬品、食品などQOL(Quality Of Life)の向上が期待される商品が望まれている。この中で、紫外線によって生じる眼精疲労については、紫外線により角膜上皮細胞が障害を受けることがその一因であることが特定され、この様な細胞障害を抑制する手段が見いだされている（例えば、特許文献１を参照）が、目の過度の酷使によって生じる眼精疲労については、その原因が毛様体筋の過緊張であること、及び、該過緊張はエンドセリン変換酵素を阻害することにより緩和することが報じられている（例えば、特許文献２、特許文献３、特許文献４を参照）。しかしながら、この様な対応では十分な毛様体筋の緊張緩和は為されていないのが現状であった。一般的には、疲れ目と眼精疲労とは区別されて認識されたり、使用されたりはしていないが、専門の眼科の定義では、この二者は明確に区別されている。すなわち、疲れ目は生理的な疲労であり、眼精疲労は病的な疲労の範疇に入る。言い換えれば、疲れ目は休息によって回復し、眼精疲労は休息によってもその症状が改善しないものと言うことができる（非特許文献１）。
【０００３】
観点を変えて、医療行為に分類されない、ツボを刺激して体の調子を整える方法は既に知られている。（例えば、特許文献５を参照）又、ツボ押しなどの生体刺激を利用して疲れ目に対応しようとする技術も知られている。（例えば、特許文献６、特許文献７、特許文献８を参照）しかしながら、これらの効果は今ひとつ明確ではない。この様な施術に於いて、疲れ目改善の効果を高める手段の開発が望まれていたと言える。
【０００４】
更に、疲れ目と「くま」等の目の周囲の肌の状態との関連についてはあまり知られていないが、例えば、デコルテにエステティック施術を行うことにより、目の周囲の皮膚の変化である、「くま」が改善されることは既に知られている。（例えば、特許文献９を参照）しかしながら、目の周囲の皮膚へのエステティック施術がこの様な目の周囲の皮膚に影響を及ぼすことは全く知られていない。又、この様な「くま」などの目の周囲のの皮膚状態の改善は、化粧料分野に於いてはコンシーラーやファンデーションによる色の改善に留まっている。
【０００５】
【特許文献１】特開２００５−６０２７９号公報
【特許文献２】特開平０９−１４３０９９号公報
【特許文献３】特開平０９−５９１７３号公報
【特許文献４】特開平０７−１３３２２５号公報
【特許文献５】特開２００３−１８０７９４号公報
【特許文献６】再表９９／０２７９９１
【特許文献７】特開２００５−２２７４６６号公報
【特許文献８】特開２００５−０５２５９９号公報
【特許文献９】特開２００４−１０５４７９号公報
【非特許文献１】渥美一成  「調節・眼精疲労」、第５−６頁、講談社、２００１年
【発明の開示】
【発明が解決しようとする課題】
【０００６】
本発明は、この様な状況下為されたものであり、これまでの技術では改善しがたい、疲れ目及び目の周辺の肌の改善に有用な手段を提供することを課題とする。
【課題を解決するための手段】
【０００７】
この様な状況に鑑みて、本発明者らは、これまでの技術では改善しがたい、疲れ目及び目の周辺の肌の改善に有用な手段を求めて、鋭意研究努力を重ねた結果、目の疲れの著しい人を選別し、目の周囲のツボを刺激するエステティック施術を行うことにより、この様な改善が為しうることを見いだし、発明を完成させるに至った。即ち、本発明は以下に示すとおりである。
（１）被験者を一定の位置に固定した状態に保ち、被験者の前方に設定した標的を凝視した状態を維持し、標的を被験者の前方で前後させ標的に記載された印がぼやけ始める位置（焦点距離）を指標とし、焦点距離が遠いほど目の疲れ度合いが高いと判別することを特徴とする、目の疲れ度合いの鑑別法。
（２）前記指標を用いて、毛様体筋などの目の調節に関わる筋肉の緊張状態について、焦点距離が遠いほど筋肉の緊張度が高いと判別することを特徴とする、目の調節に関わる筋肉の緊張状態の鑑別法。
（３）前記指標を用いて、目の周辺の血流の状態について焦点距離が遠いほど血流の状態が悪いと判別することを特徴とする、目の周辺の血流状態の鑑別法。
（４）目の周囲の肌の状態を改善する為の、エステティックの施術の選択法に於いて、（１）に記載の鑑別法で目の疲れ度合いが高いと鑑別された人に対して、目の周囲のツボを刺激する施術を選択することを特徴とする、目の周囲の肌の状態の改善のためのエステティック施術の選択法。
（５）前記指標を用いて、エステティック施術の目の周辺の肌への効果の評価方法であって、焦点距離が遠い状態から近くなることにより目の周辺の肌が改善したと判別することを特徴とする、エステティック施術効果の鑑別法。
（６）前記指標を用いて、焦点距離が遠いほど自律神経機能が悪いと判別することを特徴とする、自律神経機能の鑑別法。
（７）前記指標を用いて、頸部の筋肉の緊張状態について焦点距離が遠いほど筋肉の緊張度が高いと判別することを特徴とする、頸部の筋肉の緊張状態の鑑別法。
（８）（１）に記載の目の疲れ度合いの鑑別法で鑑別される目の疲れ度合いによって分類されることを特徴とする、目の疲れ度合いの分類法。
（９）（２）に記載の目の焦点に関わる筋肉の緊張状態の鑑別法で鑑別される目の焦点に関わる筋肉の緊張状態によって分類されることを特徴とする、目の焦点に関わる筋肉の緊張状態の分類法。
（１０）（３）に記載の目の周辺の血流の状態の鑑別法で鑑別される目の周辺の血流の状態によって分類されることを特徴とする、目の周辺の血流の状態の分類法。
（１１）（４）に記載の目の周辺の肌の状態の鑑別法で鑑別される目の周辺の肌の状態によって分類されることを特徴とする、目の周辺の肌の状態の分類法。
（１２）（５）に記載のエステティック施術の目の周辺の肌への効果の鑑別法で鑑別されるエステティック施術の目の周辺の肌への効果によって分類されることを特徴とする、エステティック施術の効果の分類法。
（１３）（６）に記載の自律神経機能の鑑別法で鑑別される自律神経機能によって分類されることを特徴とする、自律神経機能の分類法。
（１４）（７）に記載の頸部の筋肉の緊張状態の鑑別法で鑑別される頸部の筋肉の緊張状態によって分類されることを特徴とする、頸部の筋肉の緊張状態の分類法。
（１５）（８）に記載の目の疲れ度合いの分類法において、目の疲れの度合いが高い被験者に対して毛様体筋などの目の調節に関わる筋肉の緊張を緩和する処置を勧めることを特徴とする、疲れ目の改善のためのアドバイス方法。
（１６）（８）に記載の目の疲れ度合いの分類法において、目の疲れの度合いが高く、且つ、通常の睡眠による目の疲れの改善を精神的及び身体的ストレスにより阻害され、その素因としてストレス比重が高かった被験者に、過剰に亢進した交感神経機能を整え、自律神経機能を改善する処置を勧めることを特徴とする、疲れ目の改善のためのアドバイス方法。
（１７）前記被験者が、エステティック施術店に、エステティックにより、目の疲れを改善のために訪れた顧客であることを特徴とする（１）に記載の鑑別法に基づくアドバイス方法。
（１８）前記被験者が、エステティック施術店に、エステティックにより、目の周辺の肌改善のために訪れた顧客であることを特徴とする（４）に記載の鑑別法に基づくアドバイス方法。
【発明の効果】
【０００８】
本発明によれば、これまでの技術では改善しがたい、疲れ目及び目の周辺の肌の改善に有用な手段を提供することができる。
【発明を実施するための最良の形態】
【０００９】
本発明の特徴は、目の疲れ度合い及び目の疲れに関連する目の周辺の肌状態を分類し、分類ごとに適した処置を行うことにより、的確な疲れ目及び目の周辺の肌状態の改善につながることを旨とする。取り分け、この様な疲れ目及び目の周辺の肌状態を数字を以て、客観的に行うことがこれまでなされていなかったが、前記疲れ目及び目の周辺の肌状態を目の焦点距離、好ましい具体例としては、被験者の前方に設定した標的を凝視した状態を維持し、標的を被験者の前方で前後させ標的に記載された印がぼやけ始める位置（焦点距離）を指標とし、焦点距離が遠いほど目の疲れ度合いが高いと判別することにより、これまで疲れ目の度合いを数値として客観的に評価することが評価が可能となった。また、目の疲れは目の周辺の肌状態に影響し、前記指標である焦点距離により、疲れ目の状態だけではなく、目の周辺の血流状態及び肌状態、頸部の筋肉の緊張状態並びに筋肉の緊張状態に関連する自律神経機能の状態の予測、判別にも有用であり、判別・分類などから適切なエスティックな施術のアドバイス、化粧料のアドバイスが可能となる。
【００１０】
この様な効果は、後記に実施例として示すが、健常人のうち疲れ目を感じる１０名の被験者に本発明で選択される施術を実施し、実施前後の目の調節力を近見反応測定装置により測定し、目の調節力が改善するか確認したところ有意に目の調節力が改善した（P<0.05）。また、改善実感に関するアンケートでも有意に目の疲れが改善した。
【００１１】
本発明で選択される施術は、目の焦点調節に係わる目の周辺の筋肉の緊張を緩和するツボを刺激することであるが、この施術を行うか否かの判断を、近点位置を測定し、該近点位置の数値が小さい時は疲れ目改善のための施術は選択せず、大きい場合は疲れ目改善のための施術を選択すると言う判断を行った後に施術を行う。ここで、近点位置とは、何処まで接近して明視できるかを表す数値で、かかる近点位置は距離として表すことも出来るし、その逆数のレンズのパワーを表す「ディオプター」の単位で表すことも出来る。ディオプターは明視できる最近距離（ｍ）の逆数として算出できる。本発明では、近点位置は距離（ｃｍ）で扱う。かかる近点位置は、眼科などで使用されている常法に従って計測できる。即ち、例えば、近点計（株式会社ワック製の「D'ACOMO」、株式会社ニデック製の「VDT近点計 VNP-200」、浜松ホトニクス株式会社製のＴｒｉＩｒｉｓ」など）で容易に計測できる。この様な近点位置の計測を行うと、近点位置の長い群（距離の数値が大きい）と近点位置が短い群（距離の数値が小さい）が存在し、長い群に対してエステティック施術を行えば、疲れ目を改善し、前記近点位置を更に長くする効果を奏するが、短い群にエステティック施術を行っても、前記近点位置の延長効果は現れない。即ち、施術前に近点位置を計測し、施術が効果を奏するか、否かを鑑別することにより、効果を奏しない無駄な施術の実施を避けることが出来る。この様な鑑別の閾値となる値は距離の近点位置については、１５ｃｍ（６．２ディオプター）が好ましく、より好ましくは１８ｃｍが例示できる。
【００１２】
近点位置の長い人には、疲れ目を改善し、近点距離を短縮するためのエステティック施術が行われるが、この様な施術としてはツボ押し（経穴刺激）が好適に例示できる。刺激すべきツボとしては、目の周囲に存するツボである、睛明(せいめい)、陽白(ようはく)、四白（しはく）、上関（じょうかん）及び瞳子?(どうしりょう)から選択される１種乃至は２種以上が特に好ましく例示でき、これらの目の周囲のツボに加えて、首の後ろの天柱（てんちゅう）及び／又は風池（ふうち）が好適に例示できる。これらのツボは自律神経バランスの調整に係わるツボであると言われている。特に好ましい形態としては、これらの全てのツボをまんべんなく刺激することが例示できる。これらのツボの存在位置は図１、図２に示す。近年、疲れ目が休息により改善しない原因の１つとして自律神経機能の低下がいわれている。かかるツボの刺激により、疲れ目が改善し目の周囲の皮膚の状態が改善することから、これらの現象の増悪要因の一つに目を酷使することで自律神経のうち緊張時に働く交感神経が過剰に亢進した状態になり、自律神経機能のバランスを崩し、目の焦点調節に係わる筋肉の緊張状態が休息により改善しにくい状態が改善されたと推察される。この現象は、また、前記ツボの刺激が筋肉全般の過緊張を緩和し、その一発現系が近点距離の短縮化であると言うことも出来る。即ち、交感神経の亢進など自律神経のバランスのくずれを近点距離として定量することも出来るし、前記自律神経のバランスの崩れに起因する、筋緊張度合いを近点距離として定量することも出来る。
【００１３】
これらのツボは近接しているので、正確に位置を知るには次に示す手順に従うことが好ましい。これらのツボは前記の如くに近接しているのみならず、他の効果のためのツボとも近接しているため、刺激位置の正確性が問われるが、下記の手順に従って探せば正確に探査することが出来、正確な経穴刺激を行うことも出来る。
・睛明(せいめい)…目頭と鼻の付け根の間にあるくぼみを探す。少し押して刺激を与え、痛みを被施術者が少し感じたらその部分がこのツボであると見なすことが出来る。上眼の部分から神経が出ているので、その部分をゆっくり約３０秒（１０秒間／回を３回）押す。押し方は、鼻の骨の際、内眼窩を少し内側に押すのが好ましい。
・陽白(ようはく)…瞳の真ん中の真上、眉毛の上の骨の上に存在する。該当する箇所を少し押してみて、押さえると痛い所をこのツボと見なす。押し方は、骨の上をゆっくり３０秒（１０秒間／回を３回）押す感じが好ましい。
・四白（しはく）…瞳の真ん中の真下の骨の上に存在する。瞳の真ん中の真下の部分で骨の存在を確認しつつ、少し押して刺激を与え、重さのある痛みを感じやすい部位をこのツボと推定する。押すとずんっとした重みが来る。ここをゆっくり３０秒間（１０秒間／回を３回）押すことが好ましい。
・瞳子?(どうしりょう)…目尻から親指の幅一本分横にあるくぼみ。目の際。軽く抑える程度。
・上関（じょうかん）…目尻とほお骨の間のくぼみ。ここをゆっくり３０秒間（１０秒間／回を３回）押すことが好ましい。
・天柱（てんちゅう）…首の後ろ、髪の生え際にある2本の太い筋肉の外側上端に存在する。筋肉を手指で確認しながら、窪みを感じる部分があればそこを押してみて、重い痛みを感じたら、そこがこのツボであると推測する。ここをゆっくり３０秒間（１０秒間／回を３回）押すことが好ましい。
・風池（ふうち）…首の後ろの大きな筋肉の外側に存在する。頭のすぐ下を手指で押しながら探し、くぼんでいると感じるところがあれば、少し押してみて痛みを感じれば、そこをこのツボであると推測する。ここをゆっくり３０秒間（１０秒間／回を３回）押すことが好ましい。
【００１４】
この様な施術を行うことにより、近点位置が１５ｃｍ以上の人に於いては、疲れ目が改善し、施術後には近点位置が延長され、これによって、施術前に比して、周囲のものの見え方が変化し、施術の効果を視覚として実感でき、これにより、同時に行うエステティック施術の施術効果を更に向上せしめる作用も有する。更に、かかる施術により「くま」、目尻の小じわなどの目の周囲の皮膚の状態を改善することも出来る。
【００１５】
前記の如くに、本発明で選択される疲れ目改善のための施術は、同時に他のエステティック施術とともに行うことが出来る。この様な他の施術としては、肩こりなどを除去するための背面への施術、顔のくすみやくまを改善するためのデコルテへの施術、美顔やリラクゼーションのための顔部への施術などが好ましく例示でき、効果を如実にするためには、これらの他の施術に先んじて行うか、最後に施術の締めとして行うことが好ましい。
【００１６】
前記ストレスなどによる交感神経の過剰な亢進を軽減するための処置として、前記施術のほか化粧料による処置も可能であり、通常化粧料で使用される任意成分を製剤化することにより対処できる。この様な任意成分としては、例えば、マカデミアナッツ油、アボガド油、トウモロコシ油、オリーブ油、ナタネ油、ゴマ油、ヒマシ油、サフラワー油、綿実油、ホホバ油、ヤシ油、パーム油、液状ラノリン、硬化ヤシ油、硬化油、モクロウ、硬化ヒマシ油、ミツロウ、キャンデリラロウ、カルナウバロウ、イボタロウ、ラノリン、還元ラノリン、硬質ラノリン、ホホバロウ等のオイル、ワックス類；流動パラフィン、スクワラン、プリスタン、オゾケライト、パラフィン、セレシン、ワセリン、マイクロクリスタリンワックス等の炭化水素類；オレイン酸、イソステアリン酸、ラウリン酸、ミリスチン酸、パルミチン酸、ステアリン酸、ベヘン酸、ウンデシレン酸等の高級脂肪酸類；セチルアルコール、ステアリルアルコール、イソステアリルアルコール、ベヘニルアルコール、オクチルドデカノール、ミリスチルアルコール、セトステアリルアルコール等の高級アルコール等；イソオクタン酸セチル、ミリスチン酸イソプロピル、イソステアリン酸ヘキシルデシル、アジピン酸ジイソプロピル、セバチン酸ジ−２−エチルヘキシル、乳酸セチル、リンゴ酸ジイソステアリル、ジ−２−エチルヘキサン酸エチレングリコール、ジカプリン酸ネオペンチルグリコール、ジ−２−ヘプチルウンデカン酸グリセリン、トリ−２−エチルヘキサン酸グリセリン、トリ−２−エチルヘキサン酸トリメチロールプロパン、トリイソステアリン酸トリメチロールプロパン、テトラ−２−エチルヘキサン酸ペンタンエリトリット等の合成エステル油類；ジメチルポリシロキサン、メチルフェニルポリシロキサン、ジフェニルポリシロキサン等の鎖状ポリシロキサン；オクタメチルシクロテトラシロキサン、デカメチルシクロペンタシロキサン、ドデカメチルシクロヘキサンシロキサン等の環状ポリシロキサン；アミノ変性ポリシロキサン、ポリエーテル変性ポリシロキサン、アルキル変性ポリシロキサン、フッ素変性ポリシロキサン等の変性ポリシロキサン等のシリコーン油等の油剤類；脂肪酸セッケン（ラウリン酸ナトリウム、パルミチン酸ナトリウム等）、ラウリル硫酸カリウム、アルキル硫酸トリエタノールアミンエーテル等のアニオン界面活性剤類；塩化ステアリルトリメチルアンモニウム、塩化ベンザルコニウム、ラウリルアミンオキサイド等のカチオン界面活性剤類；イミダゾリン系両性界面活性剤（２−ココイル−２−イミダゾリニウムヒドロキサイド−１−カルボキシエチロキシ２ナトリウム塩等）、ベタイン系界面活性剤（アルキルベタイン、アミドベタイン、スルホベタイン等）、アシルメチルタウリン等の両性界面活性剤類；ソルビタン脂肪酸エステル類（ソルビタンモノステアレート、セスキオレイン酸ソルビタン等）、グリセリン脂肪酸類（モノステアリン酸グリセリン等）、プロピレングリコール脂肪酸エステル類（モノステアリン酸プロピレングリコール等）、硬化ヒマシ油誘導体、グリセリンアルキルエーテル、ＰＯＥソルビタン脂肪酸エステル類（ＰＯＥソルビタンモノオレエート、モノステアリン酸ポリオキエチレンソルビタン等）、ＰＯＥソルビット脂肪酸エステル類（ＰＯＥ−ソルビットモノラウレート等）、ＰＯＥグリセリン脂肪酸エステル類（ＰＯＥ−グリセリンモノイソステアレート等）、ＰＯＥ脂肪酸エステル類（ポリエチレングリコールモノオレート、ＰＯＥジステアレート等）、ＰＯＥアルキルエーテル類（ＰＯＥ２−オクチルドデシルエーテル等）、ＰＯＥアルキルフェニルエーテル類（ＰＯＥノニルフェニルエーテル等）、プルロニック型類、ＰＯＥ・ＰＯＰアルキルエーテル類（ＰＯＥ・ＰＯＰ２−デシルテトラデシルエーテル等）、テトロニック類、ＰＯＥヒマシ油・硬化ヒマシ油誘導体（ＰＯＥヒマシ油、ＰＯＥ硬化ヒマシ油等）、ショ糖脂肪酸エステル、アルキルグルコシド等の非イオン界面活性剤類；ポリエチレングリコール、グリセリン、１，３−ブチレングリコール、エリスリトール、ソルビトール、キシリトール、マルチトール、プロピレングリコール、ジプロピレングリコール、ジグリセリン、イソプレングリコール、１，２−ペンタンジオール、２，４−ヘキサンジオール、１，２−ヘキサンジオール、１，２−オクタンジオール等の多価アルコール類；ピロリドンカルボン酸ナトリウム、乳酸、乳酸ナトリウム等の保湿成分類；表面を処理されていても良い、マイカ、タルク、カオリン、合成雲母、炭酸カルシウム、炭酸マグネシウム、無水ケイ酸（シリカ）、酸化アルミニウム、硫酸バリウム等の粉体類、；表面を処理されていても良い、ベンガラ、黄酸化鉄、黒酸化鉄、酸化コバルト、群青、紺青、酸化チタン、酸化亜鉛の無機顔料類；表面を処理されていても良い、雲母チタン、魚燐箔、オキシ塩化ビスマス等のパール剤類；レーキ化されていても良い赤色２０２号、赤色２２８号、赤色２２６号、黄色４号、青色４０４号、黄色５号、赤色５０５号、赤色２３０号、赤色２２３号、橙色２０１号、赤色２１３号、黄色２０４号、黄色２０３号、青色１号、緑色２０１号、紫色２０１号、赤色２０４号等の有機色素類；ポリエチレン末、ポリメタクリル酸メチル、ナイロン粉末、オルガノポリシロキサンエラストマー等の有機粉体類；パラアミノ安息香酸系紫外線吸収剤；アントラニル酸系紫外線吸収剤；サリチル酸系紫外線吸収剤、；桂皮酸系紫外線吸収剤、；ベンゾフェノン系紫外線吸収剤；糖系紫外線吸収剤；２−（２’−ヒドロキシ−５’−ｔ−オクチルフェニル)ベンゾトリアゾール、４−メトキシ−４’−ｔ−ブチルジベンゾイルメタン等の紫外線吸収剤類；エタノール、イソプロパノール等の低級アルコール類；ビタミンＡ又はその誘導体、ビタミンＢ6塩酸塩、ビタミンＢ6トリパルミテート、ビタミンＢ6ジオクタノエート、ビタミンＢ2又はその誘導体、ビタミンＢ12、ビタミンＢ15又はその誘導体等のビタミンＢ類；α−トコフェロール、β−トコフェロール、γ−トコフェロール、ビタミンＥアセテート等のビタミンＥ類、ビタミンＤ類、ビタミンＨ、パントテン酸、パンテチン、ピロロキノリンキノン等のビタミン類等；フェノキシエタノール等の抗菌剤などが好ましく例示できる。これらの成分を常法に従って処理することにより、前記の化粧料は製造することができる。
【００１７】
以下に、実施例を挙げて、本発明について更に詳細に説明を加えるが、本発明がかかる実施例にのみ限定されないことは言うまでもない。
【実施例１】
【００１８】
本発明のエステティック施術の選択法の効果を確かめるためにエステティック施術試験を行った。即ち、疲れ目を意識しているボランティア１０名を集め、安静のために２５℃の恒温室にて１０分間座ってもらい、近点位置を「ＴｒｉＩｒｉｓ」（浜松ホトニクス製）で計測し、しかる後に、天柱（てんちゅう）及び風池（ふうち）を前述のように探査して、１０秒の指先による圧迫を各ツボ３回実施し、その後に目の周囲に存するツボである、睛明(せいめい)、陽白(ようはく)、四白（しはく）、上関（じょうかん）及び瞳子?(どうしりょう)を同様に刺激した。施術後１０分まで経時的に再度近点位置を計測した。近点位置は５回計測し、その平均値を用いた。コントロールとしては、前記の実験とは別の日に、経穴刺激を加えずに同様に近点位置を計測した。結果を図３〜６に示す。これより疲れ目自覚者には、近点位置１５ｃｍを境に大きく２つの群に分けられることがわかる。即ち、コントロールでの近点位置が長いＡグループとコントロールでの近点位置が短いＢグループであり、Ｂグループでは施術の効果があまり確認できないことがわかる。この図に示すとおり、目の焦点調節に係わる筋肉の緊張の緩和に有効と考えられる経絡を刺激することで目の調節力が改善する傾向が認められた。コントロールでは一過性に休息による目の調節力の改善が認められるがすぐに元の状態に戻るのに対して、施術では徐々に改善する傾向が認められ、これは通常の休息により改善する目の疲れを改善しただけでなく、施術により休息だけでは改善しなかった目の疲れを改善しやすい状態に導いたと考えられ、自律神経機能を介した目の焦点調節に係わる筋肉の緊張を緩和したと考察できる。従って、近点位置の測定により疲れ目施術の効果を判別あるいは自律神経機能を介した疲れ目施術の効果の向上を判別することが可能であり、近点位置の測定が目の疲れ度合いの把握のみならず、自律神経機能の状態の把握も可能である。また、疲れ目に有効な施術は頸部の経絡の刺激も含まれ、頸部の筋肉の緊張の緩和も疲れ目には有効であり、特に顔面への血液の移行には頸部の筋肉の緊張を改善することは重要である。従って、今回の近点位置が改善した要因として頸部の筋肉の緊張の緩和も考えられ、近点位置を頸部の筋肉の緊張状態の把握にも有用であることがわかる。又、肌状態については、アンケートを実施して調べた。アンケートは施術後目の周囲の皮膚状態が改善したと感じるか否かを質問した。結果を表１に示す。この表より、Ａグループに於いては改善が認識されていることがわかる。
【００１９】
【表１】
2008178427.tif 000003
【産業上の利用可能性】
【００２０】
本発明は、目の周囲の皮膚の状態の改善などの医療行為に分類されない美容に応用できる。
【図面の簡単な説明】
【００２１】
【図１】目の周囲のツボ（経穴）の位置を示す図である。
【図２】首の後ろのツボ（経穴）の位置を示す図である。
【図３】施術時の近点位置を示す図である。
【図４】コントロール時の近点位置を示す図である。
【図５】有効群の施術による近点位置の変化を示す図である。
【図６】無効群の施術による近点位置の変化を示す図である。
【図１】
2008178427.tif 000004
【図２】
2008178427.tif 000005
【図３】
2008178427.tif 000006
【図４】
2008178427.tif 000007
【図５】
2008178427.tif 000008
【図６】
2008178427.tif 000009